(57)【要約】【課題】構造が簡単で低コストの加工を容易にしながらウォーターカーテンを形成可能にしたウォーターカーテン用ホースを提供する。【解決手段】筒状織物層２の内面にシール層３を内貼りしたホース１、１０において、シール層３にシール層内面から筒状織物層の内面まで貫通するスリット４をホース長手方向に連続的又は間欠的に設ける。又は、シール層３及び筒状織物層２にシール層内面から筒状織物層の外側まで貫通するスリット１４をホース長手方向に間欠的に設ける。【選択図】      図１
2008002649.tif 000002
【特許請求の範囲】
【請求項１】
筒状織物層の内面に樹脂又はゴムのシール層を内貼りしたホースにおいて、前記シール層に該シール層の内面から前記筒状織物層の内面まで貫通するスリットをホース長手方向に連続的又は間欠的に設けたウォーターカーテン用ホース。
【請求項２】
前記スリットの幅が１〜８ｍｍで、長さが１ｍｍ以上である請求項１に記載のウォーターカーテン用ホース。
【請求項３】
筒状織物層の内面に樹脂又はゴムのシール層を内貼りしたホースにおいて、前記シール層及び筒状織物層に該シール層の内面から前記筒状織物層の外側まで貫通するスリットをホース長手方向に間欠的に設けたウォーターカーテン用ホース。
【請求項４】
前記スリットの幅が０．１〜３ｍｍで、長さが１〜５ｍｍである請求項３に記載のウォーターカーテン用ホース。
【発明の詳細な説明】
【技術分野】
【０００１】
本発明はウォーターカーテン用ホースに関し、さらに詳しくは、構造が簡単で低コストの加工を容易にしながらウォーターカーテンを形成可能にしたウォーターカーテン用ホースに関する。
【背景技術】
【０００２】
家屋が密集している住宅地で火災が発生した場合、火災の延焼を防止する手段として、炎上中の建物と隣接する建物との間を消防ホースが横断するように敷設し、その消防ホースの上面に多数の噴射口を長手方向に配列するように設けることにより、それら噴射口から消防水を噴出させて両建物間にウォーターカーテンを形成するようにする延焼防止方法が特許文献１に開示されている。このような延焼防止用のウォーターカーテン用ホースの製作は、ホースの長手方向に一定間隔で多数の開口を穿孔し、それらの開口に一つずつ鳩目を装着することにより行われている。
【０００３】
しかし、上記のように鳩目を一つずつ多数の開口に装着する加工は大変な手間がかかるため、ウォーターカーテン用ホースの生産性を著しく低下させてコスト高になるという問題があった。
【特許文献１】特公昭５９−４９０２０号公報
【発明の開示】
【発明が解決しようとする課題】
【０００４】
本発明の目的は、構造が簡単で低コストの加工を容易にしながらウォーターカーテンを形成可能にしたウォーターカーテン用ホースを提供することにある。
【課題を解決するための手段】
【０００５】
上記目的を達成する本発明のウォーターカーテン用ホースは、筒状織物層の内面に樹脂又はゴムのシール層を内貼りしたホースにおいて、前記シール層に該シール層の内面から前記筒状織物層の内面まで貫通するスリットをホース長手方向に連続的又は間欠的に設けたことを特徴とするものである。
【０００６】
この場合のウォーターカーテン用ホースは、スリットの幅が１〜８ｍｍで、長さが１ｍｍ以上であることが好ましい。
【０００７】
また、上記目的を達成する本発明の他のウォーターカーテン用ホースは、筒状織物層の内面に樹脂又はゴムのシール層を内貼りしたホースにおいて、前記シール層及び筒状織物層に該シール層の内面から前記筒状織物層の外側まで貫通するスリットをホース長手方向に間欠的に設けたことを特徴とするものである。
【０００８】
この場合のウォーターカーテン用ホースは、スリットの幅が０．１〜３ｍｍで、長さが１〜５ｍｍであることが好ましい。
【発明の効果】
【０００９】
本発明の前者のウォーターカーテン用ホースは、シール層にスリットを貫通するだけの簡単な構造であって、鳩目の装着など面倒な加工作業を不要にしているので低コストで加工が可能になる。また、簡単な構造であっても、消防水等の液体を圧送すると、液体がスリットから筒状織物層の織り目を介して外側へ噴出するため、ホース長手方向に沿ってウォーターカーテンを形成することができる。
【００１０】
また、後者ののウォーターカーテン用ホースでは、シール層と筒状織物層とをスリットが貫通するだけの簡単な構造であって、同じく鳩目の装着など面倒な加工作業を不要にしているので低コストで加工が可能になる。また、簡単な構造であっても、同じく消防水等の液体を圧送すると、液体がスリットからホース外側へ噴出するため、ホース長手方向に沿ってウォーターカーテンを形成することができる。
【発明を実施するための最良の形態】
【００１１】
図１（Ａ）（Ｂ）は、本発明のウォーターカーテン用ホースを例示したものである。
ホース１はホース本体が筒状織物層２で構成され、その筒状織物層２の内面にゴム又は軟質樹脂からなるシール層３が内張りされている。筒状織物層２は、ホースの長手方向に配列する複数本の経糸２ａに緯糸２ｂが平織又は綾織の織り組織になるように織り込まれている。
【００１２】
シール層３には、図２の拡大図に示すように、周方向の一部を分断するようにシール層３の内面から筒状織物層２の内面まで貫通するスリット４が設けられ、かつこのスリット４は、図１（Ａ）に示すように、ホース長手方向に連続するように形成されている。このようなシール層３に設けるスリット４は、押出機からシール層３を筒状織物層２の表面に押出し成形するときのダイスにスリット相当の非吐出部（閉止部）を設けるだけで簡単に形成することができる。また、スリット１４には、鳩目の装着作業などを必要としないので低コストで加工することができる。
【００１３】
図１の構成からなるホース１にポンプにより消防水を供給すると、内圧は一般の使用例で５００〜１０００Ｐａ程度になるが、この内圧により、図５に示すようにホース１が円筒状に膨張し、スリット４から消防水が筒状織物層２の経糸２ａと緯糸２ｂとの織り目を介して外側へ噴出し、ホース長手方向（スリット４の延長方向）に沿ってウォーターカーテンＷＣが形成される。したがって、上記消防ホース１を火災時に炎上中の建物とこれに隣接する建物との間に敷設すれば、ウォーターカーテンにより延焼を防止することができる。
【００１４】
上述した例では、スリット４がホース長手方向に連続しているが、間欠的に断続配置するものであってもよい。また、ホースとしては、非使用時に偏平状態になるフラットホースの場合を例示したが、筒状織物層の緯糸に剛性モノフィラメンを用いて常時円筒形を維持する保形ホースであってもよい。また、筒状織物層の外側に保護用樹脂層をコートしたものであってもよいが、この場合には、スリット４に対応する箇所の全域又は間欠的に保護樹脂層を設けないようにする必要がある。
【００１５】
図３（Ａ）（Ｂ）は、本発明の他の実施形態のウォーターカーテン用ホースを例示したものである。
【００１６】
このホース１０は、ホース本体が筒状織物層２で、その内面にシール層３を内張りした構成は図１のホース１の場合と同じであるが、スリット１４の構成が図１のスリット４の場合と異なっている。すなわち、図４の拡大図に示すように、スリット１４はシール層３を貫通すると共に、さらに筒状織物層２も貫通してホースの外側に抜けており、かつホース長手方向には、図３（Ａ）に示すように、長手方向を同じ方向に配列して間欠的に断続するように設けられている。
【００１７】
スリット１４の加工は、筒状織物層２にシール層３を内張りしたホース１０を形成した後、そのホース１０に中子状支持具を挿入し、その挿入状態でホース１０の外表面から刃物を長手方向に一定間隔で差し込むだけで簡単に行うことができる。加工刃物としては、例えば、歯車状に刃先を突設した回転工具とか、或いはプレス板に多数の刃先を一定間隔に植設したプレス工具などを使用することができる。また、スリット１４の加工には、鳩目の装着作業などを必要としないので低コストで行うことができる。
【００１８】
上記ホース１０に消防水を供給すると、内圧が５００〜１０００Ｐａ程度になることにより、図６に示すようにホース１０が円筒状に膨張し、間欠的に配列された各スリット１４から消防水が筒状織物層２の外側へ噴出し、ホース長手方向に沿ってウォーターカーテンＷＣが形成される。したがって、図１の場合と同様に、火災時に炎上中の建物とこれに隣接する建物との間に上記消防ホース１０を敷設すれば、延焼防止用のウォーターカーテンを形成することができる。
【００１９】
このウォーターカーテン用ホースの場合にも、適用ホースの形態としては、フラットホースのみならず、保形ホースであってもよい。また、筒状織物層２の外側には、スリット１４の出口側を閉塞しないようにすれば、保護用樹脂層をコートするようにしても差し支えない。
【００２０】
本発明において、前者（図１）の実施形態のスリットの場合は、スリット幅が１〜８ｍｍで、ホース長手方向のスリット長さを１ｍｍ以上にすることが好ましい。スリット幅が１ｍｍ未満であったり、スリット長さが１ｍｍ未満であったりすると、水などの搬送液体をホースの外側にウォーターカーテンを形成するように噴射することが難しくなる。また、スリット幅が８ｍｍよりも大きくなると、ウォーターカーテンの形成が難しくなる。
【００２１】
また、後者（図３）の実施形態のスリットの場合は、スリット幅が０．１〜３ｍｍ、好ましくは０．１〜２ｍｍであり、ホース長手方向のスリット長さが１〜５ｍｍであることが好ましい。スリット幅が０．１ｍｍ未満であったり、スリット長さが１ｍｍ未満では、良好なウォーターカーテンを形成することが難しくなる。また、スリット幅が３ｍｍより大きかったり、スリット長さが５ｍｍよりも長くなると、ホースの耐久性が低下する恐れがある。
【００２２】
スリットを間欠的に配置する場合のスリット端間の間隔としては特に限定されるものではないが、好ましくは５０〜５００ｍｍ程度にするとよい。
【００２３】
上述した実施形態では、ウォーターカーテン用ホースを消防ホースに適用する場合について説明したが、本発明のウォーターカーテン用ホースは、消防ホースのほか、ウォーターカーテンを形成する同様の用途にも適用することができる。例えば、農場に水や肥料液を散布する用途、競技場の芝生などに水等を散布する用途などに使用することができる。また、工業用の用途としては、例えば、土管の更正にＦＲＰ管を内張りする場合に、その内張りした硬化前のＦＲＰ管の内側に温水又は熱水を噴射する手段などとして使用することができる。
【図面の簡単な説明】
【００２４】
【図１】（Ａ）は本発明の実施形態からなるウォーターカーテン用ホースの平面図で、（Ｂ）は（Ａ）のＸ−Ｘ矢視の断面図である。
【図２】図１（Ｂ）のスリット箇所を示す拡大図である。
【図３】（Ａ）は本発明の他の実施形態からなるウォーターカーテン用ホースの平面図、（Ｂ）は（Ａ）のＹ−Ｙ矢視の断面図である。
【図４】図３（Ｂ）のスリット箇所を示す拡大図である。
【図５】図１のウォーターカーテン用ホースに通水したときの状態を説明する斜視図である。
【図６】図３のウォーターカーテン用ホースに通水したときの状態を説明する斜視図である。
【符号の説明】
【００２５】
１、１０  ウォーターカーテン用ホース
２  筒状織物層
２ａ  経糸
２ｂ  緯糸
３  シール層
４、１４  スリット
ＷＣ  ウォーターカーテン
【図１】
2008002649.tif 000003
【図２】
2008002649.tif 000004
【図３】
2008002649.tif 000005
【図４】
2008002649.tif 000006
【図５】
2008002649.tif 000007
【図６】
2008002649.tif 000008